(57)【要約】      （修正有）【課題】ＩＰネットワークにおけるピアツーピアの通信の新しい設定の保証を十分に行なう。【解決手段】管理対象サービストラヒックのパケットの送信を新たに要求されると、そのパケットと同一の宛先アドレス及び送信元アドレスのパケットのルート情報をルート情報取得手段によって取得されたルート情報から検索するルート情報検索手段と、前記ルート情報検索手段によって検索されたルート情報に含まれる各セッションを新たに設定可能かを前記回線使用率取得手段によって取得された回線使用率に基づいて認定する設定可能セッション認定手段と、該設定可能セッション認定手段による認定に基いて、前記管理対象サービストラヒックのパケットの送信を制御する送信パケット制御手段と、を備える。【選択図】図１
2006108847.tif 000002
【特許請求の範囲】
【請求項１】
複数の端末間を中継する複数の中継装置それぞれの間を流れるパケットのヘッダ内の情報に基いて、管理対象サービストラヒックであるピアツーピア通信のパケットを同一の宛先アドレス及び送信元アドレス毎に抽出するパケット抽出手段と、
該パケット抽出手段によって抽出された同一の宛先アドレス及び送信元アドレスのパケット群それぞれを前記中継装置間毎にセッションとして認識するセッション認識手段と、
該セッション認識手段によって認識されたセッションに関する情報を同一の宛先アドレス及び送信元アドレスを有するパケット毎に集約し、その宛先アドレス及び送信元アドレスを有するパケットのルート情報を取得するルート情報取得手段と、
前記中継装置間の回線使用率を取得する回線使用率取得手段と、
管理対象サービストラヒックのパケットの通信を新たに要求されると、そのパケットと同一の宛先アドレス及び送信元アドレスのパケットのルート情報を前記ルート情報取得手段によって取得されたルート情報から検索するルート情報検索手段と、
前記ルート情報検索手段によって検索されたルート情報に含まれる各セッションを新たに設定可能かを前記回線使用率取得手段によって取得された回線使用率に基づいて認定する設定可能セッション認定手段と、
該設定可能セッション認定手段による認定に基いて、前記管理対象サービストラヒックのパケットの送信を制御する送信パケット制御手段と、
を備えたことを特徴とするピアツーピア通信のパケット中継システム。
【請求項２】
前記設定可能セッション認定手段は、前記セッション認識手段によって認識された各セッションの帯域情報を取得するセッション帯域情報取得手段と、前記回線使用率取得手段によって取得された回線使用率からその回線の空帯域情報を取得する空帯域情報取得手段と、該空帯域情報取得手段によって取得された空帯域情報と前記セッション帯域情報取得手段によって取得されたセッションの帯域情報を比較することによって、セッションを設定可能かの認定を行なう帯域比較手段と、を備えていることを特徴とする請求項１記載のピアツーピア通信のパケット中継システム。
【請求項３】
前記送信パケット制御手段は、前記設定可能セッション認定手段によってセッションの設定が可能であると認定された場合、そのパケットの送信の制御を行い、可能でないと認定された場合、そのパケットの通信の新たな要求を破棄することを特徴とする請求項１又は２記載のピアツーピア通信のパケット中継システム。
【請求項４】
前記送信パケット制御手段は、前記設定可能セッション認定手段によってセッションの設定が可能であると認定された場合、そのパケットの送信の制御を行い、可能でないと認定された場合、そのパケットの通信の新たな要求を待機させることを特徴とする請求項１又は２記載のピアツーピア通信のパケット中継システム。
【請求項５】
前記送信パケット制御手段は、前記設定可能セッション認定手段によってセッションの設定が可能でないと認定された場合、前記ルート情報検索手段に迂回ルートの検索を行なわせ、前記ルート情報検索手段によって迂回ルートが検索されなかった場合、そのパケットの通信の新たな要求の破棄又は待機を行い、迂回ルートが検索された場合、前記設定可能セッション認定手段は、前記ルート情報検索手段によって検索された迂回ルート情報に含まれる各中継装置間についてセッションを設定可能かの認定を行なうことを特徴とする請求項３又は４記載のピアツーピア通信のパケット中継システム。
【請求項６】
複数の端末間を中継する複数の中継装置それぞれの間を流れるパケットのヘッダ内の情報に基いて、管理対象サービストラヒックであるピアツーピア通信のパケットを同一の宛先アドレス及び送信元アドレス毎に抽出するパケット抽出手段と、
該パケット抽出手段によって抽出された同一の宛先アドレス及び送信元アドレスのパケット群それぞれを前記中継装置間毎にセッションとして認識するセッション認識手段と、
前記パケット抽出手段によって、新しいパケットが抽出されると、その新しく抽出されたパケットを呼の生起数としてカウントする呼の生起数カウント手段と、
前記呼の生起数カウント手段によってカウントされた呼それぞれの保留時間を測定する保留時間測定手段と、
所定時間内に前記呼の生起数カウント手段によってカウントされた呼の生起数と前記保留時間測定手段によって測定されたセッションの保留時間から、その中継装置間の呼量を計算する呼量計算手段と、
前記セッション認識手段によって認識されているセッションの数を同時接続数として認識する同時接続数認識手段と、
所定時間内に前記呼量計算手段によって計算された呼量と前記同時接続数認識手段によって認識された同時接続数に基いて確率分布を計算する確率分布計算手段と、
前記確率分布計算手段によって計算された定常状態の確率分布を定常状態確率として格納する定常状態確率格納手段と、
前記確率分布計算手段によって新たに計算された確率分布の値と前記定常状態確率格納手段によって格納された定常状態確率の差が、所定の閾値を超えた場合に、異常として検知する異常検知手段と、
を備えたことを特徴とするピアツーピア通信のパケット中継システム。
【請求項７】
該セッション認識手段によって認識されたセッションに関する情報を同一の宛先アドレス及び送信元アドレスを有するパケット毎に集約し、その宛先アドレス及び送信元アドレスを有するパケットのルート情報を取得するルート情報取得手段をさらに備え、
前記確率分布計算手段は、前記ルート情報取得手段によって取得されたルート毎に集約された、前記呼量計算手段によって計算された各中継装置間の呼量と前記同時接続数認識手段によって認識された同時接続数に基づいて、前記ルート情報取得手段によって取得されたルート毎の確率分布を計算することを特徴とする請求項６記載のピアツーピア通信のパケット中継システム。
【発明の詳細な説明】
【技術分野】
【０００１】
本発明は、ＩＰ電話などピアツーピア通信におけるパケット中継システムに関する。
【背景技術】
【０００２】
近年のＡＤＳＬや光ファイバなどのブロードバンドが普及したことから、ＩＰネットワークにおいて、様々なサービスが提供されている。例えば、ＩＰ電話サービスなどのピアツーピア通信サービスなどがある。従来型のＰＳＴＮ・ＩＳＤＮ網は、音声通信やテレビ電話などのピアツーピア通信サービスに最適化されており、回線占有型のネットワークであるため、サービスの制御・監視の点で回線リソースやトラヒックを明確に把握することが容易であり、高いサービス品質を維持することが可能である。さらに、トラヒック理論が学問として確立されているため、ネットワークの設計や制御手法も標準化されている。
【０００３】
しかしながら、ＩＰネットワークにおいては、多くのサービスのパケットが多重され、ルータによりダイナミックなルートが自動的に構築されるため、回線リソースとトラヒックの厳格な管理が困難である。したがって、従来の回線交換網における制御・監視方法の適用は不可能であり、このため、ＩＰ電話サービスを提供するためのリアルタイムな音声通信サービスの保証が十分でないという問題がある。
【０００４】
この問題を解決するために、例えば特許文献１には、コネクションレスネットワーク上の音声トラヒックの伝送帯域を保証する音声トラヒック帯域保証システムが開示されている。特許文献１に開示された音声トラヒック帯域保証システムにおいて、ＶｏＩＰ呼制御装置は、ＶｏＩＰ端末から発呼要求を受信すると、ＣＡＣサーバへ発着ＩＰアドレスを通知し、音声トラヒックの伝送帯域を問い合わせ、ＣＡＣサーバは、発着ＩＰアドレス、内部に記憶しているＩＰネットワークの伝送経路、並びに伝送経路における音声トラヒックに使用可能な伝送帯域及び使用中の伝送帯域を基に、当該呼への音声トラヒックへの伝送帯域の割当可否を判断し、割当が許可された場合には、使用中の伝送帯域を更新するとともに、ＶｏＩＰ呼制御装置へ割当可能を通知し、ＶｏＩＰ呼制御装置は、呼制御を行なうよう構成さている。
【０００５】
【特許文献１】特開２００３−３４８１３７号公報
【発明の開示】
【発明が解決しようとする課題】
【０００６】
しかしながら、特許文献１に開示された音声トラヒック帯域保証システムは、伝送経路における音声トラヒックに使用可能な伝送帯域及び使用中の伝送帯域を基に当該呼への音声トラヒックへの伝送帯域の割当可否を判断しているが、ＴＣＰ／ＩＰを代表とするデータ通信が重畳された場合、音声トラフィックのみを対象としたリソース管理制御では、ＩＰ転送網におけるピアツーピアの通信の新しい設定の保証を十分に行なうことができないという問題がある。また、特許文献１には、トラヒックの異常状態の検出については何ら記載されていない。
【０００７】
そこで、本発明は、上記問題点を解決するため、ＩＰネットワークにおけるピアツーピアの通信の新しい設定の保証を十分に行なうことが可能なピアツーピア通信のパケット中継システムを提供することを第１の目的とする。また、本発明は、上記問題点を解決するため、ＩＰネットワークにおけるトラヒックの異常状態を検出することが可能なピアツーピア通信の異常状態検出装置を提供することを第２の目的とする。
【課題を解決するための手段】
【０００８】
以上の第１の目的を達成するため、本発明は、複数の端末間を中継する複数の中継装置それぞれの間を流れるパケットのヘッダ内の情報に基いて、管理対象サービストラヒックであるピアツーピア通信のパケットを同一の宛先アドレス及び送信元アドレス毎に抽出するパケット抽出手段と、該パケット抽出手段によって抽出された同一の宛先アドレス及び送信元アドレスのパケット群それぞれを前記中継装置間毎にセッションとして認識するセッション認識手段と、該セッション認識手段によって認識されたセッションに関する情報を同一の宛先アドレス及び送信元アドレスを有するパケット毎に集約し、その宛先アドレス及び送信元アドレスを有するパケットのルート情報を取得するルート情報取得手段と、前記中継装置間の回線使用率を取得する回線使用率取得手段と、管理対象サービストラヒックのパケットの送信を新たに要求されると、そのパケットと同一の宛先アドレス及び送信元アドレスのパケットのルート情報を前記ルート情報取得手段によって取得されたルート情報から検索するルート情報検索手段と、前記ルート情報検索手段によって検索されたルート情報に含まれる各セッションを新たに設定可能かを前記回線使用率取得手段によって取得された回線使用率に基づいて認定する設定可能セッション認定手段と、該設定可能セッション認定手段による認定に基づいて、前記管理対象サービストラヒックのパケットの送信を制御する送信パケット制御手段と、を備えたことを特徴とするピアツーピア通信のパケット中継システムである。
【０００９】
本発明に係るピアツーピア通信のパケット中継システムにおいて、認識されるセッションは、従来の回線交換網におけるチャネルと同等と考えることが可能であるため、このセッションを管理することにより、管理対象サービストラヒックのルート情報の取得とトラヒック管理が可能となる。回線使用率取得手段は、管理対象サービストラヒックのパケットだけでなく、その回線のＴＣＰ／ＩＰ等管理対象外サービストラヒックのデータも含めたトラヒック情報を得ることができるため、設定可能なセッションを正確に認定することができ、確実なトラヒック管理が可能である。また、本発明に係るピアツーピア通信のパケット中継システムは、ルート情報取得手段によって、新たなルート情報を取得できるので、例えばパケット網の保守や経路見直しなどにより、ルートが変更された場合であっても、設定可能なセッションを正確に設定することができる。
【００１０】
本発明に係るパケット中継システムにおいて、前記設定可能セッション認定手段は、前記セッション認識手段によって認識された各セッションの帯域情報を取得するセッション帯域情報取得手段と、前記回線使用率取得手段によって取得された回線使用率からその回線の空帯域情報を取得する空帯域情報取得手段と、該空帯域情報取得手段によって取得された空帯域情報と前記セッション帯域情報取得手段によって取得されたセッションの帯域情報を比較することによって、セッションを設定可能かの認定を行なう帯域比較手段と、を備えていることが好ましい。また、前記設定可能なセッション認定手段は、前記回線使用率取得手段によって取得された回線使用率から各中継装置間に設定可能なセッション数を求め、そのセッション数に基づいてセッションを設定可能かの判断を行なうように構成しても良い。
【００１１】
本発明に係るパケット中継システムのように実際の回線をモニタリングしなくても、例えば呼設定信号のみをモニタリングすることにより、ある程度のトラヒック管理が可能であることは容易に推認できる。すなわち、呼設定信号にてセッション数をカウントすれば、本発明に係るパケット中継システムと類似の効果を得ることができる。しかしながら、本発明に係るパケット中継システムは、（１）管理対象外サービストラヒックのトラヒックも含めてモニタリング可能であるので厳格なトラヒック管理が可能である、（２）ルート情報を事前に定義しておかなくても、モニタリング情報から取得可能であり、さらにモニタリングによりルート情報が十分に蓄積できれば自動的にルート情報生成が可能である、（３）頻繁なセッション数の増減演算が不要であり誤差の発生がない、という作用効果を奏することができる。
【００１２】
本発明に係るパケット中継システムにおいて、前記送信パケット制御手段は、前記設定可能セッション認定手段によってセッションの設定が可能であると認定された場合、そのパケットの通信の新たな要求の制御を行い、可能でないと認定された場合、そのパケットの通信の新たな要求を破棄するか、又は待機させるよう構成することが好ましく、この場合、前記送信パケット制御手段は、前記設定可能セッション認定手段によってセッションの設定が可能でないと認定された場合、前記ルート情報検索手段に迂回ルートの検索を行なわせ、前記ルート情報検索手段によって迂回ルートが検索されなかった場合、そのパケットの通信の新たな要求の破棄又は待機を行い、迂回ルートが検索された場合、前記設定可能セッション認定手段は、前記ルート情報検索手段によって検索された迂回ルート情報に含まれる各中継装置間についてセッションを設定可能かの認定を行なうよう構成することが好ましい。
【００１３】
また、上記第２の目的を達成するため、本発明は、複数の端末間を中継する複数の中継装置それぞれの間を流れるパケットのヘッダ内の情報に基いて、管理対象サービストラヒックであるピアツーピア通信のパケットを同一の宛先アドレス及び送信元アドレス毎に抽出するパケット抽出手段と、該パケット抽出手段によって抽出された同一の宛先アドレス及び送信元アドレスのパケット群それぞれを前記中継装置間毎にセッションとして認識するセッション認識手段と、前記パケット抽出手段によって、新しいパケットが抽出されると、その新しく抽出されたパケットを呼の生起数としてカウントする呼の生起数カウント手段と、前記呼の生起数カウント手段によってカウントされた呼それぞれの保留時間を測定する保留時間測定手段と、所定時間内に前記呼の生起数カウント手段によってカウントされた呼の生起数と前記保留時間測定手段によって測定されたセッションの保留時間から、その中継装置間の呼量を計算する呼量計算手段と、前記セッション認識手段によって認識されているセッションの数を同時接続数として認識する同時接続数認識手段と、所定時間内に前記呼量計算手段によって計算された呼量と前記同時接続数認識手段によって認識された同時接続数に基いて確率分布を計算する確率分布計算手段と、前記確率分布計算手段によって計算された定常状態の確率分布を定常状態確率として格納する定常状態確率格納手段と、前記確率分布計算手段によって新たに計算された確率分布の値と前記定常状態確率格納手段によって格納された定常状態確率の差が、所定の閾値を超えた場合に、異常として検知する異常検知手段と、を備えたことを特徴とするピアツーピア通信のパケット中継システムであり、該セッション認識手段によって認識されたセッションに関する情報を同一の宛先アドレス及び送信元アドレスを有するパケット毎に集約し、その宛先アドレス及び送信元アドレスを有するパケットのルート情報を取得するルート情報取得手段をさらに備え、前記確率分布計算手段は、前記ルート情報取得手段によって取得されたルート毎に集約された前記呼量計算手段によって計算された各中継装置間の呼量と前記同時接続数認識手段によって認識された同時接続数に基づいて、前記ルート情報取得手段によって取得されたルート毎の確率分布を計算するよう構成されていることが好ましい。
【発明の効果】
【００１４】
以上のように、本発明によれば、ＩＰネットワークにおけるピアツーピアの通信の新しい設定の保証を十分に行なうことが可能なピアツーピア通信のパケット中継システムを提供することができ、またＩＰネットワークにおけるトラヒックの異常状態を検出することが可能なピアツーピア通信の異常状態検出装置を提供することができる。
【発明を実施するための最良の形態】
【００１５】
次に、本発明に係るピアツーピア通信のパケット中継システムについて、図面に基いて説明する。図１は、本実施例に係るパケット中継システム及びそれが提供されるＩＰネットワークの概念図である。本実施例に係るパケット中継システムは、ＩＰ電話によるピアツーピアパケット通信の呼制御を行なう。図１に示されたＩＰネットワークは、電話端末１０Ａ、１０Ｂ・・・が接続されたゲートウェイ１２Ａ、１２Ｂ・・・と、各ゲートウェイ１２Ａ、１２Ｂ・・・間を中継する複数の中継ノード１４Ａ、１４Ｂ・・・と、を備えている。ゲートウェイ１２Ａ、１２Ｂ・・・それぞれには、ＩＰアドレスが付されている。また、各ゲートウェイ１２Ａ、１２Ｂ・・・は、複数の電話端末１０Ａ、１０Ｂ・・・を接続しており、接続された電話端末１０Ａ、１０Ｂ・・・それぞれにポート番号がセッション確立の際、動的かつ排他的に割り当てられる。
【００１６】
本実施例に係るパケット中継システムは、ＩＰ電話の呼制御を行なう呼処理制御装置１６と、各中継ノード１４Ａ、１４Ｂ・・・間のパケットの流れを監視する監視装置１８Ａ、１８Ｂ・・・と、監視装置１８Ａ、１８Ｂ・・・によって監視されたデータなどを格納するデータ格納部２０と、を備えている。監視装置１８Ａ、１８Ｂ・・・は、図１に示すように各中継ノード１４Ａ、１４Ｂ・・・間それぞれに設けられており、各監視装置１８Ａ、１８Ｂ・・・は、監視したデータを呼処理制御装置１６に送信するように呼処理制御装置１６に接続されており、また、呼処理制御装置１６は、データ格納部２０に接続されている。
【００１７】
監視装置１８Ａ、１８Ｂ・・・は、同一の構成であるので、以下、監視装置１８Ａのみについて説明する。監視装置１８Ａは、図２に示すように管理対象サービストラヒックであるＩＰ電話用のパケットを記録するパケットテーブル２１と、中継ノード１４Ａと１４Ｂの間を流れるパケットをそのヘッダに含まれるポート番号でフィルタリングすることにより管理対象サービストラヒックであるＩＰ電話用のパケットを抽出し、抽出したパケットをパケットテーブル２１に書き込むパケット抽出部２２と、テーブル２１に書き込まれたパケットそれぞれをセッションとして認識するセッション認識部２４と、中継ノード１４Ａと１４Ｂの間の回線使用率をキャプチャする回線使用率取得部２６と、呼の生起数をカウントする呼の生起数カウント部３０と、呼の保留時間を測定する保留時間測定部３２と、所定時間内に呼の生起数カウント部３０によってカウントされた呼の生起数と保留時間測定部３２によって測定された保留時間から中継ノード１４Ａ、１４Ｂ間の呼量を計算する呼量計算部３４と、パケットテーブル２１に記録されたパケットの数（セッションの数）をその中継ノード１４Ａ、１４Ｂ間の同時接続数として認識する同時接続数認識部３６と、セッション認識部２４によってセッションとして認識された各セッションの情報、回線使用率取得部２６によって取得された回線使用率に関する情報、呼量計算部３４によって計算された呼量に関する情報及び同時接続数認識部３６によって認識された同時接続数に関する情報を呼処理制御装置１６に送信する送信部３８と、を備えている。
【００１８】
パケット抽出部２２は、通過するパケットを例えば数ミリ秒ごとにそのポート番号でフィルタリングすることにより管理対象サービストラヒックであるＩＰ電話用のパケットを抽出し、抽出したパケットをそのソケット情報（ポート番号と発着ＩＰアドレス）毎に上書きしてパケットテーブル２１に書き込み、また、パケットテーブル２１に書き込まれているパケットと同一のソケット情報を有するパケットが抽出されなかった場合、そのパケットをパケットケーブル２１から消去するよう構成されている。このようにパケット抽出部２２は、パケットをソケット情報毎に上書きしてパケットテーブル２１に書き込むことによって、ソケット情報が同一のパケット群毎にグループ化しているので、セッション認識部２４は、同一のソケット情報を有するパケット群毎にセッションを認識する。すなわち、セッションは、従来の回線交換網におけるチャネルと同等と考えられる。呼の生起数カウント部３０は、パケット抽出部２２が、パケットテーブル２１に書き込まれていないソケット情報を有するパケットを書き込む場合、すなわち新しいパケットを書き込む場合、呼の生起としてカウントすることができる。保留時間測定部３２は、パケット抽出部２２がパケットテーブル２１からパケットを消去した場合を呼の終了とし、その呼の生起から呼の終了までを呼の保留時間として測定することができる。送信部３８によって送信されるセッションの情報には、そのセッションとして認識されたパケットのソケット情報やそのセッションの帯域情報などが含まれる。
【００１９】
データ格納部２０は、図３に示すように同一の発着ＩＰアドレスを有するパケットのルート情報を格納するルート情報データベース４０と、電話端末１０Ａ、１０Ｂ・・・の電話番号とＩＰアドレスを１：１の対応で格納するＩＰアドレス情報データベース４２と、を備えている。ルート情報データベース４０は、監視装置１８Ａ，１８Ｂ・・・から呼処理制御装置１６に送信された各中継ノード１４Ａ、１４Ｂ・・・間の各セッションの情報を取得し、その各セッションの情報を同一の発着ＩＰアドレス毎に分類して集約することによって、各パケットのルート情報を取得することができる。すなわち、同一発着ＩＰアドレスを有するパケット毎に分類して集約することによって、そのパケットが流れる中継ノード１４Ａ、１４Ｂ・・・に関する情報を取得でき、その中継ノード１４Ａ、１４Ｂ・・・に関する情報からそのパケットのルートに関する情報を取得することができる。ルート情報データベース４０は、呼処理制御装置１６に各中継ノード１４Ａ、１４Ｂ・・・間の各セッションの情報が送信されると、これら情報を取得して、常に新しい情報に更新するように構成されている。
【００２０】
呼処理制御装置１６は、図４に示すように、監視装置１８Ａ、１８Ｂ・・から送信されるセッション情報、回線使用率に関する情報、呼量に関する情報及び同時接続数に関する情報を受信する送受信部４４と、新たなＩＰ電話の呼の設定が要求されると、そのパケットと同一の発着ＩＰアドレスのパケットのルート情報をルート情報データベース４０から検索するルート情報検索部４６と、ルート情報検索部４６によって検索されたルート情報に含まれる各中継ノード１４Ａ、１４Ｂ・・・間にセッションを設定可能かの認定を送受信部４４によって受信されたセッション情報及び回線使用率に基づいて行なう設定可能セッション認定部４８と、設定可能セッション認定部４８の認定結果に基いて、新たなＩＰ電話の呼の設定を制御する呼制御部５２と、送受信部４４によって受信された呼量に関する情報及び同時接続数に関する情報に基いて、各ルートの異常値を検知する異常検知部５４と、を備えている。
【００２１】
設定可能セッション認定部４８は、送受信部４４によって受信されたセッション情報から各セッションの帯域情報を取得するとともに、送受信部４４によって受信された回線使用率からその回線の空帯域情報を取得し、これらセッションの帯域情報と空帯域情報を比較することによって、セッションを設定可能かの認定を行なうよう構成されている。回線使用率は、図５に示すように管理対象サービストラヒックであるＩＰ電話用のパケットだけでなく、管理対象外サービストラヒックのデータも含めたものであるため、空帯域情報からセッションを設定可能かの認定を正確に行なうことができる。
【００２２】
異常検知部５４は、送受信部４４によって受信された呼量に関する情報及び同時接続数に関する情報をルート情報データベース４０に格納されたルート毎に集約し、各ルート毎に確率分布を計算する確率分布計算部５６と、確率分布計算部５６によって計算された定常状態の確率分布を定常状態確率として格納する定常状態確率格納部５８と、確率分布計算部５６によって新たに計算された確率分布と定常状態格納部に格納された定常状態確率を比較し、その差が、所定の閾値を超えた場合に、異常として検知する比較部６０と、を備えている。確率分布計算装置５６によって計算される確率分布としては、例えば数１で示される式に基づくポアソン分布によって計算することができる。異常検知部５４によって異常が検知されると、例えばモニタなどに異常が検知されたルートを映すことにより、その異常を知らせるように構成することが可能である。
【００２３】
【数１】
2006108847.tif 000003
【００２４】
次に、本実施例に係るピアツーピア通信のパケット中継システムの動作を図６及び７に示すフローチャートに基づいて説明する。本動作においては、電話端末１０Ａから電話端末１０Ｃに呼設定の要求された場合について説明する。先ず、電話端末１０Ａが接続されたゲートウェイ１２Ａから電話端末１０Cが接続されたゲートウェイ１２Ｂに送信されるＩＰ電話用のパケットのルートがルート情報データベース４０に格納される動作について図６に示すフローチャートに基づいて説明する。先ず、ＩＰ電話用のパケットは、後述する呼制御の動作に基づいて、電話端末１０Ａが接続されたゲートウェイ１２Ａから各中継ノード１４Ａ、１４Ｂ・・・を通過して電話端末Ｃが接続されたゲートウェイ１２Ｂに送信される。この際、各監視装置１８Ａ、１８Ｂ・・・のパケット抽出部２２は、通過するパケットを例えば数ミリ秒毎にそのポート番号でフィルタリングすることにより、そのＩＰ電話用のパケットを抽出し、そのソケット情報毎にパケットテーブル２１に書き込む（Ｓ１００）。セッション認識部２４は、そのパケットテーブル２１にソケット情報毎に書き込まれたパケットをセッションとして認識する（Ｓ１０２）。セッション認識部２４によって認識されたセッションに関する情報は、送信部３８によって、呼処理制御装置１６の送受信部４４に送信される（Ｓ１０４）。呼処理制御装置１６の送受信部４４は、セッションに関する情報を受信すると、その情報をデータ格納部２０に転送する（Ｓ１０６）。データ格納部２０のルート情報データベース４０は、各中継ノード１４Ａ、１４Ｂ・・・間の各セッションの情報を取得すると、その各セッションの情報を同一の発着ＩＰアドレス毎に分類して集約することによって、各パケットのルート情報を格納する（Ｓ１０８）。
【００２５】
次に、ルート情報データベース４０に電話端末１０Ａが接続されたゲートウェイ１２Ａから電話端末１０Ｃが接続されたゲートウェイ１２Ｂへのパケットのルートが予め格納されていることを前提として、本実施例に係るピアツーピア通信のパケット中継システムの制御の動作について図７に示すフローチャートに基づいて説明する。先ず、電話端末１０Ａからゲートウェイ１２Ａを介して、呼処理制御装置１６に電話端末１０Ｃへの呼設定要求を電話端末１０Ｃの電話番号とともに送信する（Ｓ２００）。呼処理制御装置１６の送受信部４４が電話端末１０Ａから電話端末１０Ｃへの呼設定の要求を受信すると、呼制御部５２は、ＩＰアドレス情報データベース４２から電話端末１０Ａが接続されたゲートウェイ１２ＡのＩＰアドレス、並びに電話端末１０Ｃが接続されたゲートウェイ１２ＢのＩＰアドレスを取得する（Ｓ２０２）。次に、ルート情報検索部４６は、発着ＩＰアドレスと同一の発着ＩＰアドレスを有するパケットのルート情報をルート情報データベース４０から検索し（Ｓ２０４）、設定可能セッション認定部４８は、ルート情報検索部４６によって検索されたルート情報に含まれる各中継ノード１４Ａ、１４Ｂ・・・間にセッションを設定可能かの認定を、送受信部４４によって受信されたセッション情報から各セッションの帯域情報を取得するとともに、送受信部４４によって受信された回線使用率からその回線の空帯域情報を取得し、これらセッションの帯域情報と空帯域情報を比較することによって行なう（Ｓ２０６）。呼制御部５２は、ルート情報に含まれる全ての中継ノード１４Ａ、１４Ｂ・・・間にセッションを設定可能であると認定した場合（Ｓ２０８）、電話端末１０Ａが接続されたゲートウェイ１２Ａと電話端末１０Ｃが接続されたゲートウェイ１２Ｂ間の呼の設定を許容する（Ｓ２１０）。すなわち、ゲートウェイ１２Ａとゲートウェイ１２Ｂ間の呼の設定が許容される。ステップ２０８において、セッションを設定可能でないと認定した場合、呼制御部５２は、呼を破棄する（Ｓ２１４）。
【００２６】
なお、本実施例に係るピアツーピア通信のパケット中継システムにおいては、セッションを設定可能でないと認定した場合に、呼を破棄するように構成したが、直ぐに破棄せず、迂回ルートに空きのセッション数が十分にあるかを確認し、十分あると認定した場合は、該迂回ルートへステップ２１０を行い、十分でないと認定した場合、ステップ２１４に進むようにしても良い。迂回ルートは、例えば予めルート情報データベース４０に格納させていることが好ましい。また、本実施例に係るピアツーピア通信のパケット中継システムにおいては、セッションを設定可能でないと認定した場合に、呼を破棄する即時式を採用しているが、例えば待時式を採用しても良い。さらに、本実施例に係るピアツーピア通信のパケット中継システムにおいては、監視装置を各中継ノード間に設けたが、各中継ノード間を監視できるものであれば、中央監視可能なサーバによって行なってもよく、また各中継ノードにそのような機能を設けても良い。
【図面の簡単な説明】
【００２７】
【図１】本発明に係るパケット中継システムの実施例及びそれが提供されるＩＰネットワークの概念図である。
【図２】本実施例に係るパケット中継システムの監視装置の概念ブロック図である。
【図３】本実施例に係るパケット中継システムのデータ格納部の概念ブロック図である。
【図４】本実施例に係るパケット中継システムの呼処理制御装置の概念ブロック図である。
【図５】回線使用のトラヒック状態を示す概念図である。
【図６】本実施例に係るパケット中継システムにおいて、ルート情報をルート情報データベースに格納する動作を示すフローチャートである。
【図７】本実施例に係るパケット中継システムにおいて、呼制御の動作を示すフローチャートである。
【符号の説明】
【００２８】
１０Ａ、１０Ｂ・・・ 電話端末
１４Ａ、１４Ｂ・・・ 中継ノード
１６   呼処理制御装置
１８Ａ、１８Ｂ       監視装置
２２   パケット抽出部
２４   セッション認識部
２６   回線使用率取得部
４０   ルート情報データベース
４６   ルート情報検索部
４８   設定可能セッション認定部
５２   呼制御部
【図１】
2006108847.tif 000004
【図２】
2006108847.tif 000005
【図３】
2006108847.tif 000006
【図４】
2006108847.tif 000007
【図５】
2006108847.tif 000008
【図６】
2006108847.tif 000009
【図７】
2006108847.tif 000010